(57)【要約】      （修正有）【課題】金属製のボードに吸着している状態でメモ用紙などを挟み留めする場合に、ボードから取り外すことなく、ボードに吸着されているままの状態で、メモ用紙などをボードとの間に容易に差し込んで挟み留めすることができ、使い勝手の良好な磁性式固定具を提供する。【解決手段】金属製のボード１２に磁性的に吸着して被固定物１３をボード上に固定しうる磁性式固定具１１であって、非金属製の固定具本体１４と、上記固定具本体に固定される磁性体１５とを有し、上記固定具本体の上記ボードへの当接面部には凸部１６，１７が設けられ、上記凸部と上記ボードとの間に用紙を挟みこめるように構成されている。上記磁性体はネオジウムにより形成され、上記凸部は上記固定具本体の径方向に沿って半紡錘形状に形成されている。【選択図】図５
0003130893.tif 000002
【実用新案登録請求の範囲】
【請求項１】
金属製のボードに磁性的に吸着して被固定物をボード上に固定しうる磁性式固定具であって、非金属製の固定具本体と、上記固定具本体に固定される磁性体とを有し、上記固定具本体の上記ボードへの当接面部には凸部が設けられ、上記凸部と上記ボードとの間に用紙を挟みこめるように構成されていることを特徴とする磁性式固定具。
【請求項２】
上記固定具本体はプラスチックにより短円筒状に形成され、上記磁性体は上記固定具本体の上記当接面部の中央に配置されていることを特徴とする請求項１記載の磁性式固定具。
【請求項３】
上記磁性体はネオジウムからなることを特徴とする請求項１又は２記載の磁性式固定具。
【請求項４】
上記凸部は上記固定具本体の径方向に沿って半紡錘形状に形成されていることを特徴とする請求項１〜３のいずれか１項記載の磁性式固定具。
【請求項５】
上記凸部は、上記固定具本体の径方向に沿って十字状に配置されていることを特徴とする請求項１〜４のいずれか１項記載の磁性式固定具。
【考案の詳細な説明】
【技術分野】
【０００１】
本考案は磁性式固定具に係り、特に、金属製のボードに吸着されている状態でも、被固定物である用紙を上記ボードとの間に容易に差し込んで挟み留めすることができ、使い勝手の良好な磁性式固定具に関する。
【背景技術】
【０００２】
従来、マグネットをプラスチック製のマグネット保持部材に取り付けて、金属製のホワイトボード等に吸着可能とし、上記マグネット保持部材と、上記ホワイトボード等の間にメモ用紙などを挟み留め可能とした磁性式固定具が存在する。
【０００３】
上記従来の磁性式固定具は、上記ホワイトボード等に当接するマグネット保持部材の一端面が平面に形成されていることから、上記マグネット保持部材の一端面全体が上記ホワイトボード等に吸着することになり、ホワイトボード等と上記マグネット保持部材との間には隙間が殆ど生じない状態となる。
【０００４】
ところで、メモ用紙などを上記磁性式固定具でホワイトボード等に固定している状態において、新たなメモ用紙を上記メモ用紙の上に重ね留めしたい場合があるが、そのような場合は、上記メモ用紙を手で押えた状態にして、上記マグネット保持部材を上記ホワイトボード等から一旦引き剥がし、新たなメモ用紙を元のメモ用紙の上に重ねてから、再び上記マグネット保持部材を上記ホワイトボード等に吸着させる必要があった。
【０００５】
したがって、操作が煩雑で使いにくいという不具合があった。また、上記マグネット保持部材を上記ホワイトボード等から引き剥がした場合に、上記メモ用紙を押えている手が緩むと、メモ用紙が落下してしまうという不具合もあった。
【考案の開示】
【考案が解決しようとする課題】
【０００６】
本考案の課題は、金属製のボードに吸着している状態でメモ用紙などを挟み留めする場合に、ボードから取り外すことなく、ボードに吸着されているままの状態で、メモ用紙などをボードとの間に容易に差し込んで挟み留めすることができ、使い勝手の良好な磁性式固定具を提供することにある。
【課題を解決するための手段】
【０００７】
上記課題を解決するために、本考案に係る磁性式固定具は、金属製のボードに磁性的に吸着して被固定物をボード上に固定しうる磁性式固定具であって、非金属製の固定具本体と、上記固定具本体に固定される磁性体とを有し、上記固定具本体の上記ボードへの当接面部には凸部が設けられ、上記凸部と上記ボードとの間に用紙を挟みこめるように構成されていることを特徴とする。
【０００８】
すなわち、本考案に係る上記磁性式固定具は、磁性体により金属製のボードに吸着可能とされた固定具本体と上記ボードとの間に用紙を挟み留めできるように構成されたものであって、上記固定具本体はボードに対する当接面部に形成された上記凸部のみがボードに密着することになり、その凸部とボードとの間に用紙が挟み留めされることになる。したがって、上記ボードに吸着させた状態では、上記固定具本体の上記当接面部における上記凸部以外の部位には隙間が存在するので、用紙の端縁部を上記隙間に侵入させてから上記凸部とボードとの間に円滑に差し込むことができる。
【０００９】
また、本考案に係る上記磁性式固定具は、上記固定具本体はプラスチックにより短円筒状に形成され、上記磁性体は上記固定具本体の上記当接面部の中央に配置されていることを特徴とする。
【００１０】
すなわち、本考案に係る上記磁性式固定具にあっては、上記固定具本体はプラスチックで短円筒状というシンプルな形状に成形されている。また、上記磁性体は固定具本体における上記当接面部の全体に配置する必要はなく、中央のみに配置するだけでバランスよく用紙を挟み留めしうるほどの十分な吸着力を得ることができる。
【００１１】
また、本考案に係る上記磁性式固定具は、上記磁性体はネオジウムからなることを特徴とする。
【００１２】
すなわち、本考案に係る上記磁性式固定具にあっては、上記磁性体として、帯磁することにより強力な磁性体となるネオジウムが採用されている。
【００１３】
また、本考案に係る上記磁性式固定具は、上記凸部は上記固定具本体の径方向に沿って半紡錘形状に形成されていることを特徴とする。
【００１４】
すなわち、本考案に係る上記磁性式固定具にあっては、用紙を上記凸部とボードとの間に差し込みやすくなるように、上記凸部が固定具本体の径方向に沿って半紡錘形状に形成されている。すなわち、上記凸部は径方向に長く、両端部が幅狭で低く、かつ中央部が幅広で高くなるような形状を有している。
【００１５】
また、本考案に係る上記磁性式固定具は、上記凸部は、上記固定具本体の径方向に沿って十字状に配置されていることを特徴とする。
【００１６】
すなわち、本考案に係る上記磁性式固定具にあっては、用紙を上記固定具本体とボードとの間に上下・左右のいずれの方向からも差し込めるように、上記凸部は上記固定具本体の径方向に沿って十字状に配置されている。
【考案の効果】
【００１７】
請求項１記載の本考案に係る磁性式固定具は、金属製のボードに磁性的に吸着して被固定物をボード上に固定しうる磁性式固定具であって、非金属製の固定具本体と、上記固定具本体に固定される磁性体とを有し、上記固定具本体の上記ボードへの当接面部には凸部が設けられ、上記凸部と上記ボードとの間に用紙を挟みこめるように構成されていることから、上記固定具本体を上記ボードに吸着させた状態では、上記凸部が上記ボードに密着し、その他の部位では上記ボードと上記固定具本体における上記当接面部との間には隙間が生じることになる。したがって、用紙を固定具本体とボードとの間に差し込む場合に、上記隙間では用紙に対する抵抗が無く、上記凸部のみの抵抗を受けることになる。これにより、全体の抵抗が小さくなり、上記固定具本体と上記ボードとの間に用紙を容易かつスムースに差し込むことができる。また、ボードに吸着して用紙を既に挟み留めしている状態であっても、新たな用紙を更に重ね合わせた状態に容易に挟み留めすることができる。
【００１８】
請求項２記載の本考案に係る磁性式固定具は、上記固定具本体はプラスチックにより短円筒状に形成され、上記磁性体は上記固定具本体の上記当接面部の中央に配置されていることから、上記固定具本体の形成が容易で、かつ指で摘みやすく使い勝手が良好である。  また、上記固定具本体における当接面部の中央に磁性体が配置されていることから、固定具本体の全体をボードに対しバランス良く吸着させることができる。
【００１９】
請求項３記載の本考案に係る磁性式固定具は、上記磁性体はネオジウムからなることから、帯磁した場合に強力な磁性体となり、ボードに吸着させて用紙を挟み留めした状態で、吸着力が不足して落下するようなことがない。
【００２０】
請求項４記載の本考案に係る磁性式固定具は、上記凸部は上記固定具本体の径方向に沿って半紡錘形状に形成されていることから、用紙を上記ボードと上記凸部との間に差し込む場合に、上記凸部の両端部は幅狭で摩擦が小さくかつ低いので抵抗が小さくなるので、用紙を容易かつスムースに差し込むことができると共に、用紙を引き抜く場合もスムースに引き抜くことができる。また、上記凸部の中央部は幅広でかつ高いので用紙に対する接触面積が拡大して摩擦抵抗が増大するので、用紙に対する固定力が強化され、用紙を確実に挟み留めすることができる。
【００２１】
請求項５記載の本考案に係る磁性式固定具は、上記凸部は、上記固定具本体の径方向に沿って十字状に配置されていることから、用紙を上記凸部とボードとの間に差し込む場合に、用紙を上下・左右のいずれの方向からも差し込むことができるので、用紙の向きを変更したり、用紙を持ち変える煩雑がなく、使い勝手が良好になる。
【考案を実施するための最良の形態】
【００２２】
以下、図面を用いて本考案の実施の形態について説明する。
本実施の形態に係る磁性式固定具１１は、図３〜図５に示すように、金属製のボード１２に磁性的に吸着して被固定物１３をボード１２上に固定しうる磁性式固定具１１であって、図１に示すように、非金属製の固定具本体１４と、上記固定具本体１４に固定される磁性体１５とを有し、上記固定具本体１４の上記ボード１２への当接面部２１には凸部１６，１７，１８，１９が設けられ、図３〜図５に示すように、上記凸部１６，１７，１８，１９と上記ボード１２との間に用紙２０を挟みこめるように構成されている。
また、図１及び図２に示すように、上記固定具本体１４はプラスチックにより短円筒状に形成され、上記磁性体１５は上記固定具本体１４の上記当接面部２１の中央に配置されている。
また、上記磁性体１５はネオジウムから形成されている。
また、図１及び図２に示すように、上記凸部１６，１７，１８，１９は上記固定具本体１４の径方向に沿って半紡錘形状に形成されている。
また、図１及び図２に示すように、上記凸部１６，１７，１８，１９は、上記固定具本体１４の径方向に沿って十字状に配置されている。
【実施例１】
【００２３】
図は実施例に係る磁性式固定具１１を示したものである。
本実施例に係る磁性式固定具１１は、図３〜図５に示すように、金属製のボード１２、例えばホワイトボードなどに吸着させて、上記ボード１２との間に被固定物１３である用紙２０、例えばメモ用紙などを挟み留め、固定するために使用するものである。
【００２４】
上記磁性式固定具１１は、図１及び図２に示すように、固定具本体１４と、磁性体１５とにより構成されている。
【００２５】
上記固定具本体１４は、図１及び図２に示すように、非金属により、すなわちプラスチックにより、端面の直径が１６mmで、長さ寸法が９．５mmの短円筒状に形成されている。
【００２６】
上記固定具本体１４は、一方の端面を上記ボード１２に吸着させる当接面部２１としている。
そして、図１及び図２に示すように、上記当接面部２１の中央には磁性体１５、すなわちマグネットが配置されている。
【００２７】
上記磁性体１５は、ネオジウムにより、端面の直径が３mmで、長さ寸法が４mmの円柱状に形成されている。
【００２８】
上記磁性体１５は、図５に示すように、上記固定具本体１４における上記当接面部２１の中央に形成された穴部２２に、一端が僅かに突出するように埋め込まれて固定されている。
上記磁性体１５の上記当接面部２１からの突出寸法は０．５mmに設定されている。
【００２９】
図１及び図２に示すように、上記固定具本体１４の上記当接面部２１において、上記磁性体１５の周囲には凸部１６，１７，１８，１９が固定具本体１４と一体に形成されている。
上記凸部１６，１７，１８，１９は上記当接面部２１から１mmだけ外方へ突出するように形成されている。
【００３０】
上記凸部１６，１７，１８，１９は、図１及び図２に示すように、上記固定具本体１４の上記当接面部２１において、径方向に沿って半紡錘形状に形成されている。
また、上記凸部１６，１７，１８，１９は、図１及び図２に示すように、上記固定具本体１４の上記当接面部２１において、径方向に沿って、十字状に配置されている。
【００３１】
以下に、上記実施例の作用について説明する。
本実施例の磁性式固定具１１を用いて、用紙２０をボード１２に固定するには、次の操作を行う。
まず、図３に示すように、上記磁性式固定具１１は、上記ボード１２から取り外しておく必要はなく、予め上記ボード１２に吸着させておくことができる。
この場合、上記磁性式固定具１１の上記固定具本体１４は、上記当接面部２１が上記ボード１２に対面し、上記凸部１６，１７，１８，１９のみが上記ボード１２に密着している。
なお、上記磁性体１５は上記ボード１２に非接触で、０．５mmだけボード１２から離間している。
【００３２】
次に、図３に示すように、用紙２０を上記磁性式固定具１１の外方から、上記磁性式固定具１１に向かって、上記ボード１２上をスライドさせるように移動させ、その用紙２０を上記ボード１２と上記磁性式固定具１１の間に差し込む。
このとき、用紙２０は、図４及び図５に示すように、上記固定具本体１４における上記凸部１６，１７，１８，１９とボード１２との間に侵入して挟着される。
【００３３】
上記固定具本体１４はプラスチックにより短円筒状に形成されているので、形状がシンプルで、容易に成形することができ、又、指で摘みやすいので、上記ボード１２に対し吸着させること、及び取り外すことが容易である。
また、上記磁性体１５は上記固定具本体１４の上記当接面部２１の中央に配置されているので、上記固定具本体１４の上記当接面部２１をバランスよく上記ボード１２に対し吸着させることができる。
なお、上記磁性体１５はネオジウムにより形成されていることから、帯磁された場合に強力な吸着力を有することができ、上記用紙２０を確実に挟んで固定することができる。
【００３４】
また、上記固定具本体１４の上記当接面部２１に形成された上記凸部１６，１７，１８，１９は、上記固定具本体１４の径方向に沿って半紡錘形状に形成されていることから、用紙２０を上記凸部１６，１７，１８，１９と上記ボード１２との間に差し込む場合は、接触面積が小さく摩擦抵抗が小さいので容易に且つスムースに差し込むことができ、差し込んだ状態では、上記凸部１６，１７，１８，１９の中央部の幅広な部位で挟着するので、接触面積が拡大して摩擦抵抗が増大することにより用紙２０の固定力を高めることができる。
【００３５】
また、上記凸部１６，１７，１８，１９は、上記固定具本体１４の径方向に沿って十字状に配置されていることから、固定具本体１４に対し用紙２０を四方から差し込むことができ、用紙２０の向きを変更したり、用紙２０を持ち替える等の煩瑣がない。
【産業上の利用可能性】
【００３６】
本考案は、用紙を挟み留めする場合に使用する磁性式の固定具に適用可能である。
【図面の簡単な説明】
【００３７】
【図１】本考案の実施例に係る磁性式固定具の斜視図である。
【図２】本考案の実施例に係る磁性式固定具における当接面部の側面図である。
【図３】本考案の実施例に係る磁性式固定具とボードとの間に用紙を固定する前の状態を示す斜視図である。
【図４】本考案の実施例に係る磁性式固定具とボードとの間に用紙を挟んで固定した状態を示す斜視図である。
【図５】本考案の実施例に係る磁性式固定具とボードとの間に用紙を固定した状態を示す断面図である。
【符号の説明】
【００３８】
１１  磁性式固定具
１２  ボード
１３  被固定物
１４  固定具本体
１５  磁性体
１６  凸部
１７  凸部
１８  凸部
１９  凸部
２０  用紙
２１  当接面部
２２  穴部
【図１】
0003130893.tif 000003
【図２】
0003130893.tif 000004
【図３】
0003130893.tif 000005
【図４】
0003130893.tif 000006
【図５】
0003130893.tif 000007